(57)【要約】      （修正有）【課題】収集した模型品の大きさに応じたケース体にそれぞれ収納することができるものとなり、必要に応じケース体を縦横の両方向に連結した状態にしたり、縦方向、横方向の一方向のみに連結した状態にしておくことができ、しかも安定した状態で連結しておくことができる陳列用ケースを提供する。【解決手段】前面を開口した略方体形状の複数のケース体１からなり、これら各ケース体１の両側面および上下面の各四角部に嵌合凸部２ａおよび嵌合凹部２ｂを突設したものとし、これらケース体１の対向する側面または上下面どうしを重ね合わせたときに、前記嵌合凸部２ａと嵌合凹部２ｂとが嵌合するようにしている。【選択図】図１
2005118112.tif 000002
【特許請求の範囲】
【請求項１】
前面を開口した略方体形状の複数のケース体（１）からなり、これら各ケース体（１）の両側面および上下面の各四角部に嵌合凸部（２ａ）および嵌合凹部（２ｂ）を突設したものとし、これらケース体（１）の対向する側面または上下面どうしを重ね合わせたときに、前記嵌合凸部（２ａ）と嵌合凹部（２ｂ）とが嵌合するようにしたことを特徴とする陳列用ケース。
【請求項２】
前記ケース体（１）を、略立方体形状のケース体（１ａ）、この略立方体形状のケース体（１ａ）の二倍長に嵌合凸部（２ａ）の突出長を加えた寸法の略直方体形状のケース体（１ｂ）、および前記略立方体形状のケース体（１ａ）の三倍長に嵌合凸部（２ａ）の突出長の二倍長を加えた寸法の略直方体形状のケース体（１ｃ）の三種類のうちの少なくとも一種類からなるものとしたことを特徴とする請求項１記載の陳列用ケース。
【請求項３】
前記嵌合凸部（２ａ）および嵌合凹部（２ｂ）を、ケース体（１）の両側面および上下面のそれぞれ外面に突設した円筒体としており、嵌合凸部（２ａ）となる円筒体の外径を嵌合凹部（２ｂ）となる円筒体の内径と略同一寸法に形成したものとしたことを特徴とする請求項１記載の陳列用ケース。
【発明の詳細な説明】
【技術分野】
【０００１】
この発明は、アニメーションの主人公や登場人物の模型品、恐竜などの仮想動物の模型品、いわゆるフィギュアと呼ばれるものの陳列に適した陳列用ケースに関するものである。
【背景技術】
【０００２】
従来、この種の陳列用ケースは、例えば図９〜１１に示したように、下端に開口１０ａを有する収納部が設けられたケース本体１０と、このケース本体１０の開口１０ａを塞ぐ蓋体２０とから構成されている。ケース本体１０はプラスチックで構成され、全面が透明となっている。このケース本体１０の上面四角にはそれぞれ円柱状の小突起（第三係合部）１０ｂが立設されている。蓋体２０の下面には、その幅方向の中央部に幅方向に並んで、対をなす小穴２０ｂが二組設けられている。各組の二つの小穴２０ｂは、ケース本体１０の上面の両端にそれぞれ前後して設けられた二つの小突起１０ｂと同時に嵌合可能に構成されている。さらに、蓋体２０の一側部には切欠き（第一係合部）２０ｃが設けられている。また、蓋体２０の他側部には、切欠き２０ｃと相補的形状を有する突片（第二係合部）２０ｄが設けられたものとしている（特許文献１）。
【特許文献１】登録実用新案第３０２９３６８号公報（第５、６頁、図１〜３）
【発明の開示】
【発明が解決しようとする課題】
【０００３】
しかしながら、従来の陳列用ケースでは、多数のケース本体１０を横方向の一方向のみに結合したり、縦横の両方向へ同時に結合することはできるが、その構造からして縦方向の一方向のみには多数のケース本体１０を結合することができず、模型品を陳列する場合の自由度が損なわれるという問題点を有していた。
【０００４】
さらに、従来の陳列用ケースでは、ケース本体１０の大きさをすべて同じ大きさのものにしているので、陳列する模型品の大きさが異なる場合には、その大きさに応じたケース本体に収納しておけず、陳列したときの体裁が悪くなるという問題点を有していた。
【０００５】
そこで、この発明は、上記従来の問題点を解決することをその課題としており、収集した模型品の大きさに応じたケース体にそれぞれ収納することができるものとなり、必要に応じケース体を縦横の両方向に連結した状態にしたり、縦方向、横方向の一方向のみに連結した状態にしておくことができ、しかも安定した状態で連結しておくことができる陳列用ケースを提供することを目的としてなされたものである。
【課題を解決するための手段】
【０００６】
そのため、この発明の陳列用ケースは、前面を開口した略方体形状の複数のケース体１からなり、これら各ケース体１の両側面および上下面の各四角部に嵌合凸部２ａおよび嵌合凹部２ｂを突設したものとし、これらケース体１の対向する側面または上下面どうしを重ね合わせたときに、前記嵌合凸部２ａと嵌合凹部２ｂとが嵌合するようにしている。
【０００７】
そして、この発明の陳列用ケースは、前記ケース体１を、略立方体形状のケース体１ａ、この略立方体形状のケース体１ａの二倍長に嵌合凸部２ａの突出長を加えた寸法の略直方体形状のケース体１ｂ、および前記略立方体形状のケース体１ａの三倍長に嵌合凸部２ａの突出長の二倍長を加えた寸法の略直方体形状のケース体１ｃの三種類のうちの少なくとも一種類からなるものとしている。                                                    
【０００８】
さらに、この発明の陳列用ケースは、前記嵌合凸部２ａおよび嵌合凹部２ｂを、ケース体１の両側面および上下面のそれぞれ外面に突設した円筒体としており、嵌合凸部２ａとなる円筒体の外径を嵌合凹部２ｂとなる円筒体の内径と略同一寸法に形成したものとしている。
【発明の効果】
【０００９】
この発明の陳列用ケースは、以上に述べたように構成されているので、収集した模型品の大きさに応じたケース体にそれぞれ収納することができるものとなり、必要に応じケース体を縦横の両方向に連結した状態にしたり、縦方向、横方向の一方向のみに連結した状態にした場合にも、安定した状態で連結しておくことができるものとなった。
【発明を実施するための最良の形態】
【００１０】
以下、この発明の陳列用ケースを実施するための最良の形態を、図面に基づいて詳細に説明する。
【００１１】
この発明の陳列用ケースは、前面を開口した略方体形状の複数のケース体１からなり、これら各ケース体１の両側面および上下面の各四角部には二個一組とした嵌合凸部２ａおよび嵌合凹部２ｂを突設したものとしている。前記嵌合凸部２ａおよび嵌合凹部２ｂは、それぞれの面を正面視したときの一方向の対角部に嵌合凸部２ａまたは嵌合凹部２ｂの一方を設け、他方向の対角部に前記嵌合凸部２ａまたは嵌合凹部２ｂの他方を設けたものとしている。そして、これらケース体１の対向する側面または上下面どうしを重ね合わせたときに、前記嵌合凸部２ａと嵌合凹部２ｂとが嵌合するようにしている。
【００１２】
前記ケース体１は、例えば図１に示したような、略立方体形状のケース体１ａ、図２に示したような、この略立方体形状のケース体１ａの二倍長に嵌合凸部２ａの突出長を加えた寸法（以下、約二倍長寸法という）の略直方体形状のケース体１ｂ、および図３に示したような、前記略立方体形状のケース体１ａの三倍長に嵌合凸部２ａの突出長の二倍長を加えた寸法（以下、約三倍長寸法という）の略直方体形状のケース体１ｃの三種類からなるものとしている。なお、この発明の陳列用ケースは、前記ケース体１の三種類のうちの何れか一種類からなるものとしても、二種類からなるものとしてもよい。
【００１３】
前記各ケース体１は合成樹脂で形成され、全面を透明としているが、何れかの面を透明としても、また全面を不透明としても、何れかの面を不透明としてもよい。そして、図に示した前記各ケース体１の嵌合凸部２ａは、それぞれの面を正面視したときの左上角部と右下角部の対角部に設けたものとし、前記嵌合凹部２ｂは、右上角部と左下角部の対角部に設けたものとしているが、嵌合凸部２ａと嵌合凹部２ｂを逆に設けたものとしてもよい。また、前記各ケース体１の嵌合凸部２ａは、それぞれの面を正面視したときの左上角部と左下角部または左上角部と右上角部の隣接角部に設けたものとし、前記嵌合凹部２ｂは、それぞれの面を正面視したときの右上角部と右下角部または左下角部と右下角部の隣接角部に設けたものとしてもよく、またこの場合も嵌合凸部２ａと嵌合凹部２ｂを逆に設けたものとしてもよい。
【００１４】
さらに、前記ケース体１は、図４〜６に示したように、開口した前面の周囲に外フランジＦを設けたものとすることができる。この外フランジＦは、開口した前面を補強するために設けたものであり、またケース体１を合成樹脂成形したときに開口が内側に反る場合があるので、その内側に反るのを防止するために設けたものである。そして、この外フランジＦは、各外端辺Ｆ1 〜Ｆ4 をそれぞれ端部から中央部にかけて僅かに膨らました形状にすることができる。このようにした場合には、合成樹脂成形したケース体１の開口に内側の反りが多少あっても、目の錯覚をおこさせて、その開口の反りを目立たなくすることができる。なお、この外フランジＦは、前記ケース体１の嵌合凸部２ａと嵌合凹部２ｂとを嵌合させた場合に、互いのケース体１の対向する外フランジＦどうしが当たらないようにしているのは言うまでもない。
【００１５】
前記嵌合凸部２ａおよび嵌合凹部２ｂは、ケース体１の両側面および上下面のそれぞれ外面に突設した円筒体としており、嵌合凸部２ａとなる円筒体の外径を嵌合凹部２ｂとなる円筒体の内径と略同一寸法に形成したものとしている。なお、前記嵌合凸部２ａは、円柱体としてもよい。このようにすると、ケース体１の両側面および上下面のそれぞれ内面には出っ張りが生じなくなり、フィギュアなどの陳列の邪魔になることがない。また、嵌合凸部２ａとなる円筒体と嵌合凹部２ｂとなる円筒体の高さは略同一寸法としている。
【００１６】
以上にように構成したこの発明の陳列用ケースは、例えば図７、８に示したように連結して使用される。
【００１７】
先ず、略立方体形状のケース体１ａと約二倍長寸法の略直方体形状のケース体１ｂを横方向に並べて、対向する側面どうしを重ね合わせ、その側面に設けた互いの嵌合凸部２ａと嵌合凹部２ｂどうしを嵌合させて、ケース体１ａとケース体１ｂを連結する。
【００１８】
次に、机やテーブルなどの設置場所に横方向にして置いた約三倍長寸法の略直方体形状のケース体１ｃの上に、前記連結したケース体１ａとケース体１ｂを重ね合わせ、それらの下面に突設した嵌合凸部２ａと嵌合凹部２ｂと、ケース体１ｃの上面に突設した嵌合凸部２ａと嵌合凹部２ｂとを互いに嵌合させて、ケース体１ａとケース体１ｂを、ケース体１ｃの上に連結する。なお、この場合、ケース体１ａとケース体１ｂの内方の側面に突設した互いの嵌合凸部２ａと嵌合凹部２ｂは、ケース体１ｃの上面に接触し、脚部としての役割を果たすので、ケース体１ａとケース体１ｂはケース体１ｃの上に安定した状態にしておける。
【００１９】
そして、このようにして連結したこの発明の陳列用ケースは、図７、８に仮想線で示したように、各ケース体１ａ、１ｂ、１ｃの縦横にそれぞれケース体１ａ、１ｂ、１ｃの何れかをさらに継ぎ足していくことができる。
【００２０】
なお、図７、８では、ケース体１ｂやケース体１ｃをすべて横方向にして連結したが、すべて縦方向にして連結しても、横方向と縦方向を混ぜて連結したものとしてもよいことはいうまでもない。さらに、各ケース体１ａ、１ｂ、１ｃは前面の開口部をすべて前向きにして連結したが、すべて後向きにして連結しても、前向きと後向きを混ぜて連結したものとしてもよい。
【００２１】
そして、このようにして連結したこの発明の陳列用ケースには、前面の開口部から各ケース体１ａ、１ｂ、１ｃに、それぞれの寸法に応じた大中小の縦長や横長のフィギュアを収納することにより陳列しておくことができる。なお、この陳列用ケースは、各ケース体１ａ、１ｂ、１ｃの開口部側を前向きにして陳列すれば、フィギュアの出し入れがし易くなり、陳列位置などを頻繁に変えることができるが、陳列位置などを頻繁に変える必要がない場合などには、各ケース体１ａ、１ｂ、１ｃの開口部側を後向きにして陳列しておくこともできる。なお、各ケース体１ａ、１ｂ、１ｃの開口部側を後向きにして陳列しておく場合には、各ケース体１ａ、１ｂ、１ｃが全面を透明としている場合はかまわないが、各ケース体１ａ、１ｂ、１ｃの少なくとも後面だけは透明にしておく必要があるのはいうまでもない。
【図面の簡単な説明】
【００２２】
【図１】この発明の陳列用ケースを構成するケース体の一つを示す斜視図である。
【図２】この発明の陳列用ケースを構成するケース体のもう一つを示す斜視図である。
【図３】この発明の陳列用ケースを構成するケース体のさらにもう一つを示す斜視図である。
【図４】この発明の陳列用ケースを構成する他の実施形態のケース体の一つを示す斜視図である。
【図５】この発明の陳列用ケースを構成する他の実施形態のケース体のもう一つを示す斜視図である。
【図６】この発明の陳列用ケースを構成する他の実施形態のケース体のさらにもう一つを示す斜視図である。
【図７】この発明の陳列用ケースの各ケース体を連結した状態を示す斜視図である。
【図８】この発明の陳列用ケースの各ケース体を連結した状態の連結部による断面図である。
【図９】従来の陳列用ケースの分解斜図である。
【図１０】従来の陳列用ケースの蓋体の裏面を示す図である。
【図１１】従来の陳列用ケースのケース体を連結した状態を示す斜視図である。
【符号の説明】
【００２３】
１  ケース体
１ａ  ケース体
１ｂ  ケース体
１ｃ  ケース体
２ａ  嵌合凸部
２ｂ  嵌合凹部
【図１】
2005118112.tif 000003
【図２】
2005118112.tif 000004
【図３】
2005118112.tif 000005
【図４】
2005118112.tif 000006
【図５】
2005118112.tif 000007
【図６】
2005118112.tif 000008
【図７】
2005118112.tif 000009
【図８】
2005118112.tif 000010
【図９】
2005118112.tif 000011
【図１０】
2005118112.tif 000012
【図１１】
2005118112.tif 000013